(57)【特許請求の範囲】
【請求項１】
データ放送を表示可能なデジタル放送受信装置であって、
データ放送を表示又は非表示にする受信側データ放送表示条件を記憶するメモリ部と、
前記受信側データ放送表示条件に基づいて、データ放送の表示、非表示を制御するデータ放送表示制御部と、
選局された番組を特定する番組特定情報を取得する番組特定情報取得部と、
選局された番組のデータ放送のデータ放送特定情報を取得するデータ放送特定情報取得部と、を有し、
前記受信側データ放送表示条件は、
前記番組特定情報と前記データ放送特定情報との少なくともいずれかにより特定され、かつ、前記番組特定情報に対して、データ放送の表示、非表示の履歴に基づいて設定されることを特徴とするデジタル放送受信装置。
【請求項２】
さらに、
前記受信側データ放送表示条件として、
前記番組特定情報により特定された番組毎に設定可能であることを特徴とする請求項１に記載のデジタル放送受信装置。
【請求項３】
前記データ放送特定情報は、
データ放送のキーワードであることを特徴とする請求項１又は２に記載のデジタル放送受信装置。
【請求項４】
前記データ放送表示制御部は、
データ放送を表示するか否かを送信側で設定した送信側データ放送表示設定に基づいて、データ放送を表示することを特徴とする請求項１から３までのいずれか１項に記載のデジタル放送受信装置。
【請求項５】
前記データ放送表示制御部は、
緊急警報放送、緊急地震速報の受信後一定時間は、データ放送非表示、表示設定を無効とすることを特徴とする請求項１から４までのいずれか１項に記載のデジタル放送受信装置。
【請求項６】
データ放送を表示可能なデジタル放送受信装置におけるデータ放送の表示制御方法であって、
データ放送を表示又は非表示にする受信側データ放送表示条件を取得するステップと、  前記受信側データ放送表示条件に基づいて、データ放送の表示、非表示を制御するデータ放送表示制御ステップと、
選局された番組を特定する番組特定情報を取得する番組特定情報取得ステップと、
選局された番組のデータ放送のデータ放送特定情報を取得するデータ放送特定情報取得ステップと、を有し、
前記受信側データ放送表示条件は、
前記番組特定情報と前記データ放送特定情報との少なくともいずれかにより特定され、かつ、前記番組特定情報に対して、データ放送の表示、非表示の履歴に基づいて設定されることを特徴とするデータ放送の表示制御方法。
【請求項７】
コンピュータに請求項６に記載のデータ放送の表示制御方法を実行させるためのプログラム。
【請求項８】
請求項７に記載のプログラムを記録するコンピュータ読み取り可能な記憶媒体。
【発明の詳細な説明】
【技術分野】
【０００１】
本発明は、デジタル放送受信装置に関し、特に、データ放送を表示することができるデジタル放送受信装置に関する。
【背景技術】
【０００２】
ＢＳ／ＣＳデジタル放送や地上波デジタル放送などの各種デジタル放送では、映像音声信号による通常のテレビ番組（動画）の放送のほかに、映像音声データ、静止画データ、テキストデータ、及び、これら各データの時間的、空間的配置を制御する制御データ（例えばＢＭＬ文書等）等からなるコンポーネントデータで構成されるデータ放送も放送されている。データ放送には、映像音声信号による動画にデータ放送（データ放送と称する）も付随させて１つの番組として放送される連動型データ放送と、動画に付随せずにコンポーネントデータのみで放送される独立型データ放送とがある。
【０００３】
これらのデータ放送では、制御データを用いることで、ユーザに対してインタラクティブなサービスを提供することができる。ユーザは、提示される画面の内容を基に、リモコンなどの操作よって、画面を遷移させて所望する情報を参照することが可能となる。
【０００４】
しかしながら、データ放送は、ユーザが所望の情報を参照するまでに多くのキー操作が必要であったり、表示画面の切り替わりに時間がかかったりなどの課題が残されている。そこで、例えば下記特許文献１では、ユーザが頻繁に利用する情報を容易に参照できるようキー操作の改善を図ったデジタル放送受信機が提案されている。
【０００５】
また、データ放送を受信して表示している状態で、データ放送を表示させるためのリモコンのｄボタンが押下された場合、動画を全画面表示に切替えるとともに、データ放送の受信はそのまま継続し、かつデータ放送に関する操作をマスクする制御を行ない、データ放送を受信しているが表示していない状態でｄボタンが押下された場合、データ放送に関する操作のマスクを解除してデータ放送の画面に切替える制御を行なう技術がある（特許文献２）。
【０００６】
これにより、データ放送の画面を閉じて、動画を全画面表示させた後、再度データ放送の画面を表示させる場合に、初期画面に戻ることなく、閉じた時の画面のまま再表示させることが可能であり、かつ、動画の全画面表示からデータ放送の表示への画面切り替え時間を短縮することが可能になる。
【先行技術文献】
【特許文献】
【０００７】
【特許文献１】特開２００６−１８０１３２号公報
【特許文献２】特開２００８−２３６３１４号公報
【発明の概要】
【発明が解決しようとする課題】
【０００８】
しかしながら、上記特許文献１では、キー操作の改善はなされるものの、表示画面の切り替わりに時間がかかる課題の改善はなされていない。また、データ放送は、上記した自らの番組の制御データによって、番組内における表示画像の制御を行なう。例えば、連動型データ放送の場合、動画を表示中に、リモコンの「ｄ」ボタンが押されたらデータ放送を起動してこのデータ放送の表示を開始し、再度「ｄ」ボタンが押されたらデータ放送を終了してこのデータ放送の表示を停止するような制御が行なわれるのが一般的である。このとき、多くの連動型データ放送では、データ放送を終了した時の状態を保持する制御を行なうような制御データを持たない場合が多い。
【０００９】
従って、データ放送の画面が所定の画面に遷移した後に、「ｄ」ボタンが押された場合に、データ放送を終了してしまう。従って、再度「ｄ」ボタンが押されてもデータ放送の表示画面は遷移した画面ではなく、データ放送起動時の初期画面が表示されてしまうという問題がある。
【００１０】
また、上記特許文献２に記載の技術は、視聴番組のデータ放送の表示状態を記憶させておき、一旦データ放送を終了しても(閉じても)、再度同じ番組のデータ放送を表示させる場合、データ放送のトップページから表示するのではなく、過去視聴していたデータ放送の階層を最初に表示する。
【００１１】
従って、番組が変わった場合や、視聴する時間帯が異なる場合の考慮がなされておらず、同じデータ放送の階層で表示されてしまう可能性があるため、結局トップ画面が表示された方が扱いやすい場合が生じる。
【００１２】
本発明は、データ放送の表示・非表示を自動的に行わせることで、ユーザ操作の負担を軽減し、データ放送の使い勝手を向上することを目的とする。
【課題を解決するための手段】
【００１３】
本発明の一観点によれば、データ放送を表示可能なデジタル放送受信装置であって、データ放送を自動的に表示又は非表示にする受信側データ放送自動表示条件を記憶するメモリ部と、前記受信側データ放送自動表示条件に基づいて、データ放送の表示、非表示を制御するデータ放送表示制御部と、を有することを特徴とするデジタル放送受信装置が提供される。
【００１４】
番組特定情報は、例えば、テレビ番組のチャネル、放送時間帯、番組の属性（ジャンル等）の少なくともいずれか１を特定する情報であり、これらの組み合わせを特定する情報であっても良い。
【００１５】
選局された番組を特定する番組特定情報を取得する番組特定情報取得部と、選局された番組のデータ放送のデータ放送特定情報を取得するデータ放送特定情報取得部と、を有し、前記受信側データ放送自動表示条件は、前記番組特定情報と前記データ放送特定情報との少なくともいずれかにより特定されることが好ましい。
【００１６】
前記データ放送自動表示条件は、前記番組特定情報により特定された番組毎に設定可能であることが好ましい。
【００１７】
前記データ放送自動表示条件は、前記番組特定情報に対して、データ放送の表示、非表示の履歴に基づいて自動的に設定されることが好ましい。
【００１８】
前記データ放送特定情報は、データ放送のキーワードであっても良い。
前記データ放送表示制御部は、データ放送を表示するか否かを送信側で設定した送信側データ放送自動表示設定に基づいて、データ放送を表示することを特徴とする。
【００１９】
また、前記データ放送表示制御部は、緊急警報放送、緊急地震速報の受信後一定時間は、データ放送非表示、表示設定を無効とするようにしても良い。
緊急放送をそのまま流す、もしくは、データ放送表示とするようにして、重要なデータ放送を見逃さないようにすることが好ましい。
【００２０】
本発明の他の観点によれば、データ放送を表示可能なデジタル放送受信装置におけるデータ放送の表示制御方法であって、データ放送を自動的に表示又は非表示にする受信側データ放送自動表示条件を取得するステップと、前記受信側データ放送自動表示条件に基づいて、データ放送の表示、非表示を制御するデータ放送表示制御ステップと、を有することを特徴とするデータ放送の表示制御方法が提供される。
【００２１】
本発明は、コンピュータに上記に記載のデータ放送の表示制御方法を実行させるためのプログラムであっても良く、当該プログラムを記録するコンピュータ読み取り可能な記憶媒体であっても良い。
【発明の効果】
【００２２】
データ放送の表示・非表示を自動的に行わせることで、ユーザ操作の負担を軽減し、データ放送の使い勝手を向上することができる。
【図面の簡単な説明】
【００２３】
【図１Ａ】本発明の一実施の形態によるデジタル放送受信装置の一構成例を示す機能ブロック図である。
【図１Ｂ】データ放送表示制御部の詳細な構成例を示す機能ブロック図である。
【図２Ａ】管理テーブルの一構成例を示す図であり、図２Ａ（ａ）は、時間帯単位の放送時間帯とチャネルとに基づく番組特定情報に依存するデータ放送設定例を示す第１の管理テーブルの構成例を示す図であり、図２Ａ（ｂ）は、時間帯単位の放送時間帯とジャンルなどの通常の番組の属性による番組特定情報に依存するデータ放送設定例を示す第２の管理テーブルの構成例を示す図である。
【図２Ｂ】管理テーブルの一構成例を示す図であり、図２Ｂ（ａ）は、番組単位の放送時間帯とチャネルとに基づく番組特定情報に依存するデータ放送設定例を示す第１の管理テーブルの構成例を示す図であり、図２Ｂ（ｂ）は、番組単位の放送時間帯とジャンルなどの通常の番組の属性による番組特定情報に依存するデータ放送設定例を示す第２の管理テーブルの構成例を示す図である。
【図３Ａ】本実施の形態によるデジタル放送受信装置における第１のデータ放送表示処理の流れを示すフローチャート図である。
【図３Ｂ】本実施の形態によるデジタル放送受信装置における第２のデータ放送表示処理の流れを示すフローチャート図である。
【図３Ｃ】本実施の形態によるデジタル放送受信装置における第３のデータ放送表示処理の流れを示すフローチャート図である。
【図４】図３Ａから図３Ｃまでの処理の内容に関して、上記処理に沿った画面表示例を示す図である。
【図５】図４に代えて、特定のデータ放送自動表示条件を満たすことで、チャンネル毎/番組毎等にデータ放送の非表示制御するようにする様子を示す図である。
【図６】本実施の形態によるデジタル放送受信装置における、データ放送自動表示条件の表示例を示す図である。
【図７】本実施の形態によるデジタル放送受信装置における、選局処理の一例を示す図であり、図６のような設定がなされた後に、図２の管理テーブルのユーザ設定又は修正操作を電子番組表表示から行う操作の一例を示す図である。
【図８】本発明の第２の実施の形態によるデジタル放送受信装置におけるデータ放送表示処理の流れを示すフローチャート図であり、データ放送の透明／非透明を判断する処理例を示す図である。
【図９】本発明の第３の実施の形態によるデジタル放送受信装置の一構成例を示す図であり、図１に対応する図である。
【発明を実施するための形態】
【００２４】
本明細書において、「番組特定情報」とは、番組を特定することができる情報を指し、例えば、テレビの放送では、番組の放送波（例えば、地上波デジタル方法、ＢＳデジタル放送、ＣＳデジタル放送など）を表すネットワークＩＤと、番組を放送する放送局のＩＤを表すサービスＩＤと、により、チャネルが特定され、放送時間帯により、そのチャネルのどの時間帯の番組であるかを特定することができる。「番組特定情報」は、放送波中の番組表データから取得することができる。
【００２５】
すなわち、ネットワークＩＤとサービスＩＤは、ＮＩＴ（Ｎｅｔｗｏｒｋ  Ｉｎｆｏｒｍａｔｉｏｎ  Ｔａｂｌｅ）から取得することができる。より詳細には、ＴＲ-Ｂ１４（地デジ）の第二分冊またはＴＲ−Ｂ１５の第二分冊（ＢＳ）および第四分冊（ＣＳ）に”ＮＩＴ(Network Information Table)”として定義されており、基本的には、ネットワークＩＤはＮＩＴ中から、サービスＩＤはＮＩＴの第２ループ中から取得できる。
【００２６】
また、コンテンツを提供するＩＰＴＶなどの場合には、ネットワークＩＤによりソースが特定され、コンテンツＩＤにより、コンテンツを特定することができる。コンテンツＩＤは、コンテンツ提供者から提供されるコンテンツのメタデータから取得することができる。
【００２７】
また、本明細書における番組特定情報に関しては、例えばチャネルと放送時間帯、ジャンルと放送時間帯など、より広く番組を特定するようにしても良い。
【００２８】
また、データ放送とは、例えば放送されている通常の番組と連動してデータ放送を行う番組連動データ放送や、通常の番組の放送中でない時間にも、番組関連の情報をデータ放送で行うものを含む。データ放送特定情報とは、データ放送に含まれる情報を指し、タイトルや内容などである。
【００２９】
以下に、本発明の実施の形態によるデジタル放送受信装置について、一般的なテレビジョン受信装置を例にして図面を参照しながら詳細に説明する。本実施の形態は、チャネル、番組のジャンル等の番組特定情報に依存して特定される番組に対して、データ放送の非表示、表示を制御可能にすることを特徴とする。
【００３０】
図１Ａは、本発明の一実施の形態によるデジタル放送受信装置の一構成例を示す機能ブロック図である。本実施の形態によるデジタル放送受信装置は、通常の番組とデータ放送とを表示することができる。
【００３１】
図１Ａに示すように、本実施の形態によるデジタル放送受信装置Ａは、受信放送信号の選局を行うチューナ（選局部）１と、チューナ（選局部）１により選局した放送信号を映像／音声／データ等に分離する映像／音声／データ分離部３と、音声信号と映像信号とをデコードする音声／映像デコード部５と、音声信号を合成し、スピーカなどの音声出力部へ出力する音声信号合成部７と、映像／ＯＳＤ信号を表示信号として合成し、合成した信号をＬＣＤディスプレイなどの映像出力部に出力する映像／ＯＳＤ信号合成部１１と、全体の機能を制御する制御部（ＣＰＵ）１５と、各種データやプログラムを記憶するメモリ部１７と、を有している。番組特定情報は、放送波から分離した番組情報をデコードして得ることができる。
【００３２】
制御部１５は、例えば、動画のジャンルを識別するジャンル識別部１５−１と、データ放送の表示画面への表示状態、すなわち、データ放送の現在の表示・非表示を識別するデータ放送表示状態識別部１５−２と、現在の表示チャネルを検索するチャネル検索部１５−３と、番組の放送時間を含む時刻を管理する時刻管理部１５−４と、映像／ＯＳＤ信号合成部１１に対してデータ放送の表示制御を行うデータ放送表示制御部１５−５と、を備えている。映像／ＯＳＤ信号合成部１１には、ＥＰＧを作成する機能も含まれていても良い。さらに、ジャンル識別部１５−１、チャネル検索部１５−３、時刻管理部１５−４からの情報に基づき、番組情報から番組特定情報を取得する番組特定情報取得部１５−６と、データ放送の内容やタイトル等の情報を取得するデータ放送特定情報取得部１５−７を有する。また、後述するように、送信側により設定される自動表示設定の有無を判定する機能を有していても良い。
【００３３】
メモリ部１７は、ＣＰＵ１５に、上記の各機能部１５−１から１５−７までの各機能を実行させるためのプログラムを格納するとともに、例えば、番組の放送時刻、放送番組のジャンル等の番組特定情報に対するデータ放送の表示・非表示の設定（データ放送自動表示・非表示条件の設定）を管理する管理テーブル１７ａが記憶されている。データ放送の表示・非表示の設定は、例えば、過去の番組特定情報で特定される番組の視聴履歴において、データ放送の表示の有無の統計的データなどに基づいて設定することができる。
【００３４】
図１Ｂは、データ放送表示制御部１５−５の詳細な構成例を示す機能ブロック図である。データ放送表示制御部１５−５は、選局された番組に関して、後述する受信側で設定されるデータ放送自動表示条件に合致するか否かを判断する受信側データ放送自動表示条件判断部１５−５−１と、選局された番組に関して放送局側においてデータ放送の自動表示設定がなされているか否かを判定する送信側データ放送自動表示設定判定部１５−５−２と、データ放送の表示を行うか否かを判断するデータ放送表示・非表示判断部１５−５−３と、データ放送の表示（又は非表示）を指示するデータ放送表示・非表示指示部１５−５−４と、を有している。
【００３５】
ここで、チューナ１は、制御部１５に対して、チャネルの選局が行われた旨の選局情報を通知する。また、映像／音声／データ分離部３は、制御部１５に対して、電子番組ガイド（ＥＰＧ）等を作成することができる番組名や放送時間帯等を含む番組情報を通知する。これにより、制御部１５に、選局されている番組の放送時間帯、チャネル、ジャンル等の番組特定情報を伝えることができる。また、制御部１５とメモリ部１７との間には、制御部１５からメモリ部１７に向けて現在時刻や選局された番組のチャネルと時間帯などの情報が、メモリ部１７から制御部１５に選局された番組のチャネルと時間帯とに依存して設定されているデータ放送の設定情報（後述するデータ放送自動表示条件）が送られる。また、データ放送特定情報も送られる。さらに、制御部１５から映像／ＯＳＤ信号合成部１１に対して、データ放送の表示指示が送られ、映像／ＯＳＤ信号合成部１１から制御部１５に対して、データ放送の現在の表示・非表示を示す現在表示状態情報が送られる。
【００３６】
図２Ａは、管理テーブル１７ａの第１の構成例を示す図であり、図２Ａ（ａ）は、放送時間帯とチャネルとに基づく番組特定情報に依存するデータ放送設定例を示す第１の管理テーブルの構成例を示す図であり、図２Ａ（ｂ）は、放送時間帯とジャンルなどの通常の番組の属性による番組特定情報に依存するデータ放送設定例を示す第２の管理テーブルの構成例を示す図である。図２Ｂは、管理テーブル１７ａの第２の構成例を示す図であり、図２Ｂ（ａ）は、番組の放送時間とチャネルと基づく番組特定情報とデータ放送情報に依存するデータ放送設定例を示す第３の管理テーブルの構成例を示す図であり、図２Ｂ（ｂ）は、番組の放送時間とジャンルなどの通常の番組の属性による番組特定情報とデータ放送情報に依存するデータ放送設定例を示す第４の管理テーブルの構成例を示す図である。以下においては、図２Ａ、図２Ｂに示すように、番組特定情報・データ放送情報に依存してデータ放送を自動的に表示、非表示にする条件を、データ放送自動表示条件と称する。
【００３７】
図２Ａ（ａ）に示す例では、例えば、以下のような設定となっている。
１）放送時間帯が６時から８時までにおいて１ｃｈが選局されると（番組特定情報が１ｃｈ、６−８時）、受信した通常の放送番組に付随する、例えば「天気」というキーワードをもつ天気予報のデータ放送が存在すれば、データ放送自動表示条件が満たされるため、映像音声信号による動画と天気予報のデータ放送とを同じ画面に表示させる。そのようなキーワードのデータ放送が存在しなければ、データ放送を非表示にする。
２）例えば、２ｃｈの６時から２０時までは、データ放送自動表示条件の設定が無いことを示す「−」が設定されており、この場合には、例えば、放送局の番組に関するデータ放送の設定があればその設定に基づいてデータ放送の表示・非表示が決められる。放送局の番組に関するデータ放送の設定がなければ、ｄボタン等の操作に基づいてデータ放送の表示・非表示が決められる。
３）放送時間帯が６時から８時までにおいて８ｃｈが選局されると（番組特定情報が８ｃｈ、６−８時）、例えば、８ｃｈの６時から８時までは、受信した放送に、「交通情報」というキーワードをもつ例えば交通情報のデータ放送が存在すれば、映像音声信号による動画とデータ放送としての交通情報のデータ放送とを同じ画面に表示させる。そのようなキーワードのデータ放送が存在しなければ、データ放送を非表示にする。
【００３８】
図２Ａ（ｂ）に示す例では、例えば、以下のような設定となっている。
１）６時から８時までにおいて、通常の番組の属性の１つであるジャンルが「野球」である番組が選局されると、受信した放送に、「天気」というキーワードをもつ例えば天気予報のデータ放送が存在すれば、映像音声信号による動画にデータ放送として天気予報のデータ放送とを同じ画面に表示させる。そのようなキーワードのデータ放送が存在しなければ、データ放送を非表示にする。１８時から２０時においても同様であるが、８時から１８時までは、データ放送を非表示にする設定となっている。
２）例えば、通常の番組として「お笑い」のジャンルの放送が選局された場合には、６時から８時までは、データ放送自動表示条件の設定が無いことを示す「−」が設定されており、この場合には、例えば、放送局の番組に関するデータ放送の設定があればその設定に基づいてデータ放送の表示・非表示が決められる。放送局の番組に関するデータ放送の設定がなければ、ｄボタン等の操作に基づいてデータ放送の表示・非表示が決められる。
３）６時から８時までにおいて、通常の番組として「ニュース」のジャンルの放送が選局されると、受信した放送に、「交通情報」というキーワードをもつ例えば交通情報のデータ放送が存在すれば、映像音声信号による通常のニュース番組にデータ放送として交通情報のデータ放送とを同じ画面に表示させる。
【００３９】
図２Ｂは、図２Ａに対応し、放送時間帯の代わりに番組の放送時間毎に設定する例を示している。
ここで、データ放送自動表示条件を示す管理テーブル１７ａを作成する方法の具体例について説明する。
【００４０】
データ放送自動表示条件を示す管理テーブル１７ａの作成方法としては、例えば、過去の視聴履歴から、図２Ａ（ａ）で例示すれば、時間帯−チャネルで特定される番組特定情報・データ放送情報に依存するデータ放送自動表示条件を、過去の視聴履歴に基づいて決めるようにすることができる。
【００４１】
すなわち、過去のデータ放送の表示頻度をカウントし記憶しておき、番組特定情報として時間帯−チャネルで特定される番組において、過去において、ある一定回数以上、例えば天気というキーワードを有するデータ放送が視聴されていた場合に、天気というキーワードを有するデータ放送をデータ放送自動表示条件として管理テーブル１７ａに設定するようにする。この際、後述する図７に示すように、カウント数がある一定回数以上になると、そのカウントされた放送を実際に設定するかどうかに関するユーザ設定（確認）を促す表示が行われるようにしても良い。
【００４２】
尚、過去のデータ放送使用頻度をカウントがある値以下になった場合には、図２Ａ、Ｂの表示を「−」欄として設定するようにしても良い。この設定では、データ放送自動表示条件が設定されていないことを示す。尚、「−」欄の設定をユーザ設定により行うようにしても良い。前回視聴時の設定を記憶しておき、同じ番組特定情報の場合には次回設定においても自動的に踏襲するようにしても良い。
【００４３】
また、過去のデータ放送使用頻度に基づくことなく、管理テーブル１７ａにおける全ての設定をユーザ設定により行うようにしても良い。この場合には、番組特定情報に依存してデータ放送を自動的に表示、非表示にするためのデータ放送自動表示条件も、ユーザ設定するようにしても良い。
【００４４】
以下に、ジャンルの識別方法、時刻情報の取得方法、放送局情報の取得方法について例示する。
通常の番組のジャンルは、ジャンル識別部１５−１が識別する。
放送番組のジャンル情報は、ＡＲＩＢ規格で規定されているＢＳデジタル放送を例にすると、放送局からの電波＝ＴＳ（トランスポートストリーム）に含まれている番組配列情報のＥＩＴ（イベント情報テーブル）の中のコンテント記述子（Ｃｏｎｔｅｎｔ ｄｅｓｃｒｉｐｔｏｒ）に記述されている。
【００４５】
【表１】
0005980550.tif 000002
【００４６】
表１は、ジャンル識別方法の例を示す図であり、コンテント記述子（ｃｏｎｔｅｎｔ＿ｄｅｓｃｒｉｐｔｏｒ（））のデータ構造を示す表である。
【００４７】
放送局情報は、チャネル検索部１５−３が取得する。放送局情報は、ジャンル情報と同様にＡＲＩＢ規格で規定されているネットワークインフォメーションテーブル(ＮＩＴ)の情報から判断することができる。
【００４８】
時刻情報は、時刻管理部１５−４が取得する。時刻情報は、上記と同様にＡＲＩＢ規格で規定されている番組配列情報(SI)のTOT(Time Offset Table)テーブルなどから得ることができる。
【００４９】
以下に、本実施の形態によるデジタル放送受信装置におけるデータ放送表示処理について説明する。
図３Ａは、本実施の形態によるデジタル放送受信装置における第１のデータ放送表示処理の流れを示すフローチャート図である。図３Ａに示すように、ます、処理が開始され（ステップＳ１：Ｓｔａｒｔ）、例えば図示しないリモコン装置の操作によるデジタル放送の選局操作が検出されると（ステップＳ２でＹＥＳ）、ステップＳ３に進み、チューナ−１によるチャネルの選局が行われる。チャネルの選局が完了すると（ステップＳ４でＹＥＳ）、映像／音声／データ分離部３，音声／映像デコード部５、音声信号合成部７、映像／ＯＳＤ信号合成部１１による一般的な番組に関する情報処理が行われる。さらに、ステップＳ５において、例えば、ジャンル識別部１５−１、チャネル検索部１５−３、時刻管理部１５−４から得られる番組情報から番組特定情報を取得する番組特定情報取得部１５−６が、番組特定情報を取得する。
【００５０】
次いで、ステップＳ６において、データ放送特定情報取得部１５−７が、データ放送特定情報を取得する（受信側データ放送条件に合致するか否かを判定する）。
【００５１】
番組特定情報とメモリ部１７の管理テーブル１７ａとを参照して、現在の状態がデータ放送自動表示条件を満たすか否かを判定する。ここで、番組特定情報に依存するデータ放送自動表示条件を満たすか否かは、データ放送自動表示条件判定部１５−５−１が、例えば、ジャンル識別部１５−１、チャネル検索部１５−３、時刻管理部１５−４等により、上記のように、現在の動画のジャンル、放送局情報、時刻情報のうち、いずれか２つ以上のデータ放送自動表示条件に合致する番組におけるデータ放送自動表示条件の設定の有無を参照することで判断することができる。
【００５２】
データ放送自動表示条件は、例えば、ａ）設定したチャネルかどうか、ｂ）設定した時刻かどうか、或いは、通常の番組のジャンルが設定したジャンルかどうか、に加えて、ｃ）データ放送中に、設定したキーワード（天気、交通情報など）があるかどうか（データ放送自動表示設定があるかどうか）に関して、ａ）からｃ）までのＹＥＳの条件が揃うと、ステップＳ６でＹＥＳになる。ここで、キーワードのようなデータ放送を特定する情報をデータ放送特定情報と称する。
【００５３】
図２（ａ）の例では時刻とチャネルとから決められる番組特定情報の動画において、図２（ｂ）の例では時刻とジャンルとから決められる番組特定情報の動画において、データ放送自動表示条件を満たすか否か、すなわち、データ放送自動表示条件が設定されているか否かと、データ放送にデータ放送自動表示条件として設定されているキーワード等のデータ放送特定情報が含まれるかを、データ放送自動表示条件判定部１５−５−１が判定する。ここで、データ放送自動表示条件が設定されており、かつ、データ放送にデータ放送自動表示条件として設定されているキーワードが含まれていれば（ステップＳ６でＹＥＳ）ステップＳ７に進む。ステップＳ７においては、データ放送自動表示設定判定部１５−５−２が、放送局の番組に関するデータ放送の送信側自動表示設定に基づいてデータ放送の表示・非表示が決められる自動表示設定がなされているか否かを判定する。
【００５４】
ステップＳ７において、選局された番組においてデータ放送の送信側自動表示設定がなされていれば（ＹＥＳ）、データ放送表示・非表示判断部１５−５−３は、放送局の番組に関するデータ放送の設定に基づいて通常のデータ放送の表示処理、すなわち、データ放送の自動表示をする処理を行う旨を判断し、データ放送表示・非表示指示部１５−５−４が、映像／ＯＳＤ信号合成部１１に対してデータ放送の表示・非表示の指示を行うことで、データ放送の表示・非表示処理が行われ（ステップＳ８：通常のデータ放送の表示処理）、次いで、処理を終了する（ステップＳ９：  Ｅｎｄ）。
【００５５】
また、ステップＳ６において、受信側自動表示条件を満たさない場合には（ＮＯ）、ステップＳ７の判定を行わずに、ステップＳ８に進み、放送局の番組に関するデータ放送の設定に基づいて通常のデータ放送を自動表示する処理を行い、次いで、処理を終了する（ステップＳ９：  Ｅｎｄ）。
【００５６】
一方、ステップＳ６でデータ放送自動表示条件判定部１５−５−１の判定がＹＥＳであり、かつ、ステップＳ７でデータ放送自動表示設定判定部１５−５−２の判定がＮｏの場合には、データ放送表示・非表示判断部１５−５−３の判断に基づいてデータ放送表示・非表示指示部１５−５−４の指示が行われ、ステップＳ１０に進み受信側データ放送自動表示条件に基づくデータ放送の表示を行い、ステップＳ１１で処理を終了する。ステップＳ１０においては、“ｄ”ボタンを押した場合の処理と同様の内部処理が実行されることになる。
【００５７】
以上に説明したように、データ放送自動表示条件を満たすか否かに基づいて、通常の番組表示とデータ放送の表示を制御することで、ユーザの履歴（嗜好等）に依存したデータ放送の表示制御を行うことができるため、データ放送に関するｄボタンの操作等を省略することができる。
【００５８】
尚、図３Ａにおいては、ステップＳ７における自動表示設定の有無の判断をステップＳ６のデータ放送自動表示条件の有無よりも優先して、データ放送の表示・非表示を行うよう制御する例を示したが、ステップＳ６でＹＥＳの場合には、ステップＳ７の判断に依存せずにステップＳ１０に進み、データ放送自動表示条件に基づくデータ放送の表示を行うようにしても良い。この場合には、ステップＳ６でＮＯの場合に、ステップＳ７の判断処理を行い、自動表示設定がなされていない場合には、データ放送を非表示にしても良いし、ｄボタン等の操作に依存させても表示制御を行うようにしても良い。
【００５９】
また、図３の処理は、データ放送自動表示条件を満たすとデータ放送を表示する例について説明したが、データ放送自動表示条件とは別に、上記のａ）からｃ）までの条件を満たすと、データ放送自動的に非表示にするデータ放送自動非表示条件を満たすとデータ放送を非表示にする、すなわち、上記のａ）設定したチャネルかどうか、ｂ）設定した時刻かどうか、或いは、通常の番組のジャンルが設定したジャンルかどうか、に加えて、ｃ）データ放送中に、設定したキーワード（天気、交通情報など）があるかどうか（データ放送自動非表示設定があるかどうか）に関して、ａ）からｃ）までのＹＥＳの条件が揃うと、ステップＳ６でＹＥＳになり、ステップＳ１０で、データ放送自動非表示条件に基づくデータ放送の非表示制御を行うようにしも良い。このような処理により、大画面で見たい通常の番組についてデータ放送の表示によりスケーリング又はマスキングされることにより、通常の番組のみを優先的８に大画面で表示させるようにすることも可能である。
【００６０】
図３Ｂは、本実施の形態によるデジタル放送受信装置における第２のデータ放送表示処理の流れを示すフローチャート図である。図３Ａの処理と異なる点は、受信側データ放送自動表示条件の判断（図３Ｂのステップ６ａ）と送信側自動表示設定の判定（図３Ｂのステップ７ａ）との順番を変更したことである。この場合でも、図３Ａと同様の処理が行われる。
【００６１】
図３Ｃは、本実施の形態によるデジタル放送受信装置における第３のデータ放送表示処理の流れを示すフローチャート図である。図３Ａの処理と異なる点は、受信側データ放送自動表示条件の判断を行うが、送信側自動表示設定の判定を行わないことである。この場合には、受信側データ放送自動表示条件のみに基づくデータ放送の表示・非表示処理が行われる。
【００６２】
図４は、図３ＡからＣまでの処理の内容に関して、上記処理に沿った画面表示例を示す図である。図３Ａを例に説明する。図４に示すように、図３ＡのステップＳ２で選局した番組が、データ放送が自動では表されない番組に選局する場合、すなわち、図３ＡのステップＳ７でＮＯの場合には（ここでは、８ｃｈから１ｃｈに選局する場合）、従来の技術では、１ｃｈの選局をすると、通常はデータ放送が表示されない（図４の右上図）。
【００６３】
一方、本実施の形態のデジタル放送受信装置におけるデータ放送表示処理（図３Ａ参照）ように、同じ１ｃｈが選局されても、毎朝６時から８時における１ｃｈの選局では、データ放送自動表示条件を満たすため（ステップＳ６でＹＥＳ）、自動表示の設定がされていない場合でも（ステップＳ７でＮＯ）、該当するデータ放送を自動的に表示させることができる（図４の右下図、図３ＡのステップＳ１０）。
【００６４】
このように、例えば、過去視聴履歴等からデータ放送使用頻度をカウントしておき、カウント数がある一定回数以上データ放送視聴していたら、データ放送を自動表示し、カウント数がある一定回数以下であればデータ放送を非表示にするように処理することで、チャンネル毎/番組毎等にデータ放送の表示・非表示を制御することができるようになる。
【００６５】
ここで、図４では、データ放送自動表示条件判定部１５−５−１の判断結果が特定のデータ放送自動表示条件を満たすと、データ放送表示・非表示判断部１５−５−３がチャンネル毎/番組毎等にデータ放送の表示制御するように判断する例を示したが、図５に示すように、特定のデータ放送自動表示条件を満たすことで、チャンネル毎/番組毎等にデータ放送の非表示制御するようにすることもできる。すなわち、図５に示すように、８ｃｈから１ｃｈに選局すると、この１ｃｈへの選局が、図５右上図のように自動でデータ放送が表示される旨の設定がなされた番組への選局である場合に、例えば、図２におけるデータ放送自動表示条件に代えて、自動表示の設定がなされていてもデータ放送が非表示になる条件を定めることで、例えば、スポーツや映画などの全画面で表示させたい場合には、データ放送の表示をさせないように設定することも可能である。
【００６６】
この際、過去のデータ放送使用頻度をカウントしておき、時間帯−チャネル等で特定される番組欄において、例えば天気のデータ放送を視聴が過去にある一定回数以下の場合に、天気のデータ放送をデータ放送自動非表示条件として管理テーブルに設定するようにしても良い。
【００６７】
図６は、本実施の形態によるデジタル放送受信装置における、データ放送自動表示条件の表示例を示す図である。図６（ａ）に示すデータ放送自動表示条件の表示設定画面には、例えば、チャネルと時間帯との設定条件表示４３と、データ放送のキーワード（例えば「天気」）表示４５と、に表示された視聴回数等のカウント数が、ある予め定めされた一定数（ここではカウント数４６が２０以上）になると、設定を知らせる表示４１が表示され、そのカウントされた出た放送を実際に設定するかどうかに関するユーザ設定を促す設定ボタン４７の押圧を促す。ここで、設定ボタン４７を押すと、以降の処理において、上記の条件に合致した選局がなされると、天気予報等のデータ放送が表示されるようになる。
【００６８】
尚、予め、図６（ａ）に示す設定画面において、設定を行っておき、そのカウント数になると表示条件が自動的に設定されるようにしても良い。尚、図６（ｂ）に示すように、表示設定４８ａ又は非表示設定４８ｂａを選択できるようにして、図６（ａ）に示す条件４３、４５を、非表示にするように設定することも可能である。
【００６９】
図７は、本実施の形態によるデジタル放送受信装置における、選局処理の一例を示す図であり、図６のような設定がなされた後に、図２の管理テーブルのユーザ設定又は修正操作を電子番組表表示から行う操作の一例を示す図である。
【００７０】
図７（ａ）は、一般的なＥＰＧ（Ｅｌｅｃｔｒｏｎｉｃ  Ｐｒｏｇｒａｍ  Ｇｕｉｄｅ）の表示画面例５１を示す図であり、縦軸が時間軸、横軸がチャネル軸である例を示す図である。例えば、ユーザが、符号６１で示され、Ｙｃｈの９時から１０時までの番組を選択した場合に、図７（ｂ）に示す画面５５が表示され、Ｙｃｈ、９時から１０時までの番組６３として、番組名○×ニュース６５と、視聴予約７１又は録画予約７３の選択ボタンと、データ放送の表示条件（又は非表示条件）の設定ボタン６７が設けられている。ここで、視聴予約７１、録画予約７３のボタンが押されると、上記図３の処理のように、自動的に表示・非表示の処理が行われるが、この処理を修正したい場合には、ボタン６７を押す。すると、図７（ｃ）に示す画面５５が表示され、図７（ｂ）で示したＹ表示５３にｃｈ、９−１０時の時間帯におけるデータ放送の自動表示、非表示の設定画面が表示される。この画面５５では、現在のＹｃｈ、９−１０時の時間帯におけるデータ放送の自動表示、非表示の設定の有無を示す「この番組の設定、非設定」のチェックボックス等８３が、「この番組」になっており、この番組における設定・非設定のチェックボックスにチェックが入れられている。
【００７１】
例えば、符号８１で示すように、チャネル、時刻、キーワード、この番組における設定として、表示、非表示を修正したい場合には、図７（ｃ）のチェックボックスにおいて設定、非設定のチェックを変更するようにしたり、キーワードを変更したりするようにして、さらに戻るボタン８５を押すことで、図７（ｂ）の表示５３に戻ると、変更した画面を確認することができる。さらに、表示５３から、視聴予約７１、録画予約７３などを操作することで、図７（ｃ）の画面５５で設定を変更した条件に基づくデータ放送の表示・非表示処理を行うことができる。
尚、上記の例は、設定処理、設定の変更処理の一例であり、その他の操作であっても良い。
【００７２】
次に、本発明の第２の実施の形態について説明する。図８は、本実施の形態によるデジタル放送受信装置におけるデータ放送表示処理の流れを示すフローチャート図であり、図３とは異なる例を示す図である。ここで、第１の実施の形態において、朝６時から８時の間の１ｃｈの選局時は、データ放送（天気）を表示するための設定がなされている例について示す。
【００７３】
図８に示すフローチャート図は、図３におけるフローチャート図とは、ステップＳ１からＳ６のＮＯまでの処理は、同様であるため、ステップＳ６のＹＥＳからの処理のみを示す。まず、ステップＳ６でＹｅｓの場合に、ステップＳ２０に進み、データ放送の有無を判定する。
【００７４】
ステップＳ２０で、データ放送が無い場合には、ステップＳ２１に進み、処理を終了する（ＥＮＤ）。すなわち、データ放送を表示しない。
【００７５】
一方、ステップＳ２０で、データ放送が有りの場合には、ステップＳ２２に進む。ステップＳ２２では、送信側自動表示設定の有無を判定する。
例えば、データ放送自動起動フラグを確認する（［auto_start_falg=0?］）。
【００７６】
デジタルテレビの放送波に、auto_start_falgが重畳されている。PMT(Prigram Map Table）のエントリコンポーネント（component_tag=0x40）に配置されているデータ符号化方式記述子のauto_start_flag=0（データ付加TV番組のみ指定可能）であれば、データ放送エンジンを直ちには起動せず、視聴者がdボタンを押した時点でデータ放送エンジンの起動処理を開始する。一方、auto_start_flag=1であれば、視聴者のボタン操作を待たずにデータ放送エンジンの起動処理を開始する。
【００７７】
ここで、ステップＳ２２におけるフラグの確認結果が、有り（auto_start_flag=0：ＹＥＳ）であればデータ放送ブラウザが起動しステップＳ２３に進み、無し（auto_start_flag=1：ＮＯ）であればデータ放送ブラウザが起動せずステップＳ２７に進む。
【００７８】
ステップＳ２３においては、データ放送の透明／非透明を判定する。すなわち、透明画面であるか、非透明画面であるかを判断する。以下に、透明画面の判定方法の一例について説明する。
【００７９】
BML(Broadcast Markup Language)のbody要素のinvisible属性にinvisibleが指定されていると、データ放送は表示されない。
【００８０】
これを利用し、BMLのbody要素のinvisible属性にinvisibleが指定されているデータ放送は透明画面と判定することができる。
【００８１】
尚、BMLとは、ARIB(社団法人電波産業会)によって策定された、XMLベースのデータ放送向けのページ記述言語で、日本国内のデジタルテレビ放送のデータ放送はBMLで記述されている。従って、BML(Broadcast Markup Language)のbody要素のinvisible属性にinvisibleが指定されているか否かで、データ放送が透明であるか非透明であるかを判定することができる。
【００８２】
ここで、ステップＳ２３の判定結果が非透明であれば、データ放送の表示処理を終了する（ＥＮＤ：  ステップＳ２６）。ステップＳ２３の判定結果としてデータ放送が透明であればデータ放送を表示させるため、ステップＳ２４に進み、“ｄ”ボタンが押された場合と同様の処理を実行し、ステップＳ２５でデータ放送を表示し、ステップＳ２６に進む。ここで、ステップＳ２５では、図３のステップＳ６のデータ放送自動表示条件を満たすか否かで条件を満たすことから、データ放送自動表示条件を満たす場合であって、データ放送自動フラグが、auto_start_flag=0であり、データ放送が透明な場合には、ステップＳ２４において、“ｄ”ボタン押下の場合と同様の処理を実行し、データ放送自動表示条件を満たすデータ放送を表示する（ステップＳ２５）。そして、ステップＳ２６で処理を終了する。データ放送自動表示条件がデータ放送を非表示にする条件の場合には、データ放送を非表示にする。
【００８３】
一方、ステップＳ２７においては、ステップＳ２２でデータ放送ブラウザが起動していないため、データ放送ブラウザを起動させ、ステップＳ２５に進む。
【００８４】
このように、本実施の形態では、予め、データ放送画面を表示する/しないをユーザが選択しておき、選局後にデータ放送ブラウザが透明画面起動かどうかを判定し、表示する/しない選択により”ｄ“ボタンが押されたことにするのかしないのかを自動判定するように制御を行う。従って、チャンネル毎/番組毎にデータ放送の表示・非表示の制御を行うことができる。
【００８５】
次に、本発明の第３の実施の形態によるデジタル放送受信装置について図面を参照しながら説明を行う。図９は、本実施の形態によるデジタル放送受信装置の一構成例を示す図であり、図１に対応する図である。図１と異なる点は、チューナー（選局部）１の次の段に復調部２が設けられ、選局情報及び時刻情報と、ＡＣキャリアとＴＭＣＣとを、制御部１５に設けられている緊急自身速報、緊急警報放送識別部１５−０が受け取り、ＴＭＣＣ信号中の信号を検出することで、緊急警報放送、緊急地震速報受信後一定時間は、第１の実施の形態によるデータ放送非表示、表示設定及びそれに基づくデータ放送の表示処理は無効とし、放送波で送られてくる信号をそのまま流す、もしくはデータ放送表示とするように制御する。このような構成とすることで、緊急情報の関する重要なデータ放送を見逃さないようにすることができる。ここで、緊急警報放送、地震速報については、放送波のＡＣキャリア内信号の緊急情報フラグを監視し、緊急情報フラグを検知する公知の方法（例えば特開２００９−２７２９５４号公報、特開２０１０−１３６３５号公報）に記載の技術を利用してもよい。例えば、前者では。送信側からＡＣキャリアを用いて送信された、平常時であるか、又は緊急警報放送或いは緊急地震速報が発せられた時であるかを区別可能なＮビット（Ｎは整数）の符号列が付与されたフラグと、緊急地震速報の情報を含む緊急速報とを格納する電文情報を含むＡＣ信号を抽出するＡＣ抽出手段と、抽出したＡＣ信号から、前記Ｎビットの符号列について相関演算し、相関演算の結果である相関係数のピーク値の有無からフレーム同期タイミングを検出するとともに、各種フラグを判別する相関演算手段と、相関演算手段によって判別したフラグが、緊急速報のフラグである場合にのみ、受信機にて警告を発する警告発生手段と、を備えることで、緊急情報フラグを検知することができる。
【００８６】
以上に説明したように、本発明の実施の形態によるデジタル放送受信装置によれば、データ放送の表示・非表示を自動的に行わせることで、ユーザ操作の負担を軽減し、データ放送の使い勝手を向上することができる。
【００８７】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００８８】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００８９】
また、「コンピュータシステム」は、ＷＷＷシステムを利用している場合であれば、ホームページ提供環境（あるいは表示環境）も含むものとする。
【００９０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００９１】
本発明は、データ放送を表示可能なデジタル放送受信装置に利用可能である。
【符号の説明】
【００９２】
Ａ…デジタル放送受信装置、１…チューナ（選局部）、２…復調部、３…映像／音声／データ分離部、５…音声／映像デコード部、７…音声信号合成部、１１…映像／ＯＳＤ信号合成部、１５…制御部（ＣＰＵ）、１５−０…緊急自身速報、緊急警報放送識別部、１５−１…ジャンル識別部、１５−２…データ放送表示状態識別部、１５−３…チャネル検索部、１５−４…時刻管理部、１５−５…データ放送表示制御部、１５−６…番組特定情報取得部、１５−７…データ放送特定情報取得部、１７…メモリ部、１７ａ…管理テーブル。
【図１Ａ】
0005980550.tif 000003
【図１Ｂ】
0005980550.tif 000004
【図２Ａ】
0005980550.tif 000005
【図２Ｂ】
0005980550.tif 000006
【図３Ａ】
0005980550.tif 000007
【図３Ｂ】
0005980550.tif 000008
【図３Ｃ】
0005980550.tif 000009
【図４】
0005980550.tif 000010
【図５】
0005980550.tif 000011
【図６】
0005980550.tif 000012
【図７】
0005980550.tif 000013
【図８】
0005980550.tif 000014
【図９】
0005980550.tif 000015